(57)【要約】【課題】画像、音声、センサ情報などを収集し、不正行為の検出に役立てることが可能な情報収集機能付き名札を提供する。【解決手段】情報収集機能付き名札４は、カメラ部４Ａ、マイク部４Ｂ、および内部にセンサ部４Ｃ等が実装されている。カメラ部４Ａは、動画像または静止画像を撮影する。マイク部４Ｂは、音声を検出する。センサ部４Ｃは、情報収集機能付き名札４の状態を示す各センサ情報（例えば、加速度センサ情報、照度センサ情報、温度センサ情報、位置情報等）を検出する。また、情報収集機能付き名札４には、背面に取り付け部４Ｄが設けられており、ヒンジ部４Ｅの図中矢印方向への回動に応じて、取り付け部４Ｄを、従業員の上着ポケット等に挟み込むことができるようになされている。このような筐体により、情報収集機能付き名札４は、第３者には気づかれることなく、画像、音声、センサ情報などを収集することが可能となる。【選択図】図２
2015084141.tif 000002
【特許請求の範囲】
【請求項１】
コンピュータを内蔵した情報を収集する情報収集機能付き名札であって、
静止画又は動画の少なくともいずれかを含む画像を撮影するカメラ部と、
音声を検出するマイク部と、
前記情報収集機能付き名札の状態を示すセンサ情報を検出するセンサ部と、
前記画像、前記音声、および前記センサ情報を送信する無線通信手段と、
を備えることを特徴とする情報収集機能付き名札。
【請求項２】
前記センサ情報は、加速度センサ情報、照度センサ情報、温度センサ情報、位置情報のうち、少なくとも、いずれか１つを含む
ことを特徴とする請求項１に記載の情報収集機能付き名札。
【請求項３】
前記画像、前記音声、および前記センサ情報を記憶する記憶手段、
をさらに備えることを特徴とする請求項１又は請求項２に記載の情報収集機能付き名札。
【請求項４】
名前を表示するための名前表示部と、
衣服に装着するためのクリップ部と、
をさらに備えることを特徴とする請求項１乃至請求項３のいずれかに記載の情報収集機能付き名札。
【請求項５】
カメラ、マイク、及びセンサを備えるコンピュータを、情報を収集する情報収集機能付き名札として機能させるためのプログラムであって、
前記コンピュータを、
静止画又は動画の少なくともいずれかを含む画像を撮影するカメラ手段、
音声を検出するマイク手段、
前記情報収集機能付き名札の状態を示すセンサ情報を検出するセンサ手段、
前記画像、前記音声、および前記センサ情報を送信する無線通信手段、
として機能させるためのプログラム。
【請求項６】
コンピュータを内蔵した情報を収集する情報収集機能付き名札と、サーバとがネットワークを介して接続された情報収集システムであって、
前記情報収集機能付き名札は、
静止画又は動画の少なくともいずれかを含む画像を撮影するカメラ部と、
音声を検出するマイク部と、
前記情報収集機能付き名札の状態を示すセンサ情報を検出するセンサ部と、
前記画像、前記音声、および前記センサ情報を、前記サーバへ送信する無線通信手段と、を備え、
前記サーバは、
前記情報収集機能付き名札から、前記画像、前記音声、および前記センサ情報を収集する情報収集手段と、
収集した前記センサ情報において、所定の閾値を超えるセンサ値があるか否かを判定する異常検出手段と、を備える
ことを特徴とする情報収集システム。
【発明の詳細な説明】
【技術分野】
【０００１】
本発明は、カジノ遊技場等において、ディーラおよびプレイヤの不正行為や異常行動等を検出する情報収集機能付き名札に関するものである。
【背景技術】
【０００２】
カジノ遊技においては、従来、様々な不正行為が行われていた。このため、カジノ遊技場は、しばしば、不正行為を監視するための監視カメラを備えている。この場合、監視カメラの映像を利用して、ディーラ（カジノゲームの提供者）及びプレイヤ（カジノ遊技場の客）の双方の不正行為が監視される。また、不正行為が要因となって、暴力行為に発展してしまう恐れも懸念される。
【０００３】
そこで、例えば、特許文献１には、監視カメラで不正容疑者を撮影するシステムが開示されている。
【先行技術文献】
【特許文献】
【０００４】
【特許文献１】特開２００８−２５３５５３号公報
【発明の概要】
【発明が解決しようとする課題】
【０００５】
しかしながら、特許文献１に記載の技術では、不正行為および暴力行為を画像認識により判断することになり、実際には、判断の信憑性に欠けるという課題があった。すなわち、多くの場合、監視カメラでは、音声が収録されておらず、また、映像が不鮮明であるという課題があった。また、監視カメラの向いている方向しか撮影されないという課題もあり、実際に、そこで何があったのかを合理的、科学的に総合判断するのは困難であった。
【０００６】
本発明は、前述した問題点に鑑みてなされたもので、その目的とすることは、カジノ遊技場等において、画像（以下、静止画および動画を含むものを画像とする）、音声、およびセンサ等の情報を複合的に収集することが可能な情報収集機能付き名札を提供することである。
【課題を解決するための手段】
【０００７】
前述した目的を達成するための第１の発明は、コンピュータを内蔵した情報を収集する情報収集機能付き名札であって、静止画又は動画の少なくともいずれかを含む画像を撮影するカメラ部と、音声を検出するマイク部と、前記情報収集機能付き名札の状態を示すセンサ情報を検出するセンサ部と、前記画像、前記音声、および前記センサ情報を送信する無線通信手段と、を備えることを特徴とする情報収集機能付き名札である。
第１の発明によって、第３者には気づかれることなく、画像、音声、センサ情報などを収集し、不正行為の検出に役立てることが可能となる。
【０００８】
前記センサ情報は、加速度センサ情報、照度センサ情報、温度センサ情報、位置情報のうち、少なくとも、いずれか１つを含む。
これによって、さまざまなセンサ情報に応じて、不正行為や異常行動の合理的、科学的な検出が可能となる。
【０００９】
前記画像、前記音声、および前記センサ情報を記憶する記憶部、をさらに備える。
これによって、収集した画像、音声、センサ情報を記憶し、所定量を記憶した後サーバに転送することができ、サーバ側で、異常値の検出を行うことができる。
【００１０】
名前を表示するための名前表示部と、衣服に装着するためのクリップ部と、をさらに備えることが望ましい。
これによって、情報収集機能付き名札の使用者（ディーラ等の従業者）の名前を表示することができるとともに、衣服に装着することができる。
【００１１】
第２の発明は、カメラ、マイク、及びセンサを備えるコンピュータを、情報を収集する情報収集機能付き名札として機能させるためのプログラムであって、前記コンピュータを、静止画又は動画の少なくともいずれかを含む画像を撮影するカメラ手段、音声を検出するマイク手段、前記情報収集機能付き名札の状態を示すセンサ情報を検出するセンサ手段、前記画像、前記音声、および前記センサ情報を送信する無線通信手段、として機能させるためのプログラムである。
第２の発明によって、第３者には気づかれることなく、画像、音声、センサ情報などを収集し、不正行為の検出に役立てることが可能となる。
【００１２】
第３の発明は、コンピュータを内蔵した情報を収集する情報収集機能付き名札と、サーバとがネットワークを介して接続された情報収集システムであって、前記情報収集機能付き名札は、静止画又は動画の少なくともいずれかを含む画像を撮影するカメラ部と、音声を検出するマイク部と、前記情報収集機能付き名札の状態を示すセンサ情報を検出するセンサ部と、前記画像、前記音声、および前記センサ情報を、前記サーバへ送信する無線通信手段と、を備え、前記サーバは、前記情報収集機能付き名札から、前記画像、前記音声、および前記センサ情報を収集する情報収集手段と、収集した前記センサ情報において、所定の閾値を超えるセンサ値があるか否かを判定する異常検出手段と、を備えることを特徴とする情報収集システムである。
第３の発明によって、情報収集機能付き名札は、第３者には気づかれることなく、画像、音声、センサ情報などを送信することができ、また、サーバは、画像、音声、センサ情報などを収集し、画像、音声、又はセンサ値の異常によって、不正行為を判断することができる。
【発明の効果】
【００１３】
本発明により、カジノ遊技場等において、画像、音声、およびセンサの情報を収集することで、それらの情報を元に不正行為や異常行動等を判断することが合理的、科学的に可能となる。
【図面の簡単な説明】
【００１４】
【図１】本発明の実施の形態に係る情報収集システムの構成例を示す図である。
【図２】情報収集機能付き名札の外観図を示す。
【図３】サーバのハードウェアの構成例を示す図である。
【図４】サーバの機能構成例を示すブロック図である。
【図５】従業員情報データベースの例を示す図である。
【図６】収集情報データベースの例を示す図である。
【図７】情報収集機能付き名札のハードウェアの構成例を示す図である。
【図８】情報収集処理を説明するフローチャートである。
【図９】異常検出処理を説明するフローチャートである。
【発明を実施するための形態】
【００１５】
以下、図面に基づいて、本発明の実施形態を詳細に説明する。
【００１６】
［本発明の実施の形態］
（情報収集システムの構成）
図１は、本発明の実施の形態に係る情報収集システム１の構成例を示す図である。
【００１７】
図１に示す情報収集システム１は、サーバ２と、従業員Ａ、Ｂ、Ｃにそれぞれ装着された情報収集機能付き名札４−１〜４−３とがネットワーク５を介して相互に接続されることで構成される。なお、情報収集機能付き名札４−１〜４−３の数は、任意であり、複数設けることも勿論可能である。
【００１８】
サーバ２は、CPU（Central  Processing  Unit）、ROM（Read  Only  Memory）、RAM（Random  Access  Memory）、HDD（Hard  Disk  Drive）等からなるコンピュータシステムである。
【００１９】
サーバ２は、従業員（ディーラ）に関する情報、および、情報収集機能付き名札４−１〜４−３が収集した情報（例えば、画像、音声、センサ情報等）を、データベースで管理している。
【００２０】
サーバ２には、ＩＣリーダ３が接続されている。ＩＣリーダ３は、情報収集機能付き名札４−１〜４−３に記憶されている名札ＩＤを非接触または接触により受信すると、その情報をサーバ２に出力する。
【００２１】
サーバ２は、従業員（ディーラ）による従業員名入力の操作に応じて取得した名札ＩＤおよび従業員に関する情報を紐付けて、データベースに記憶させる。
またサーバ２は、情報収集機能付き名札４−１〜４−３から取得した収集情報を、名札ＩＤに紐付けてデータベースに記憶させる。
さらに、サーバ２は、データベースに記憶されている収集情報の異常値を検出した場合、警告表示する。
【００２２】
以下、情報収集機能付き名札４−１〜４−３を個々に区別する必要がない場合、単に、情報収集機能付き名札４と記載する。
【００２３】
図２（Ａ）は、情報収集機能付き名札４の外観斜視図を示している。同図に示すように、情報収集機能付き名札４は、カメラ部４Ａ、マイク部４Ｂ、および内部にセンサ部４Ｃ等が実装されている。
カメラ部４Ａは、小型のデジタルカメラからなり、動画像または静止画像を撮影する。マイク部４Ｂは、小型のマイクロフォン等からなり、音声を検出する。センサ部４Ｃは、加速度センサ、照度センサ、温度センサ、位置センサ（代表的なものにGPS（Global Positioning System）がある）等からなり、情報収集機能付き名札４の状態を示す各センサ情報（例えば、加速度センサ情報、照度センサ情報、温度センサ情報、位置情報等）を検出（取得）する。
【００２４】
図２（Ｂ）は、図２（Ａ）における情報収集機能付き名札４を矢印Ａ方向に見た場合の外観側面図を示している。同図に示すように、情報収集機能付き名札４には、背面に取り付け部４Ｄが設けられており、ヒンジ部４Ｅの図中矢印方向への回動に応じて、取り付け部４Ｄを、従業員の上着ポケット等に挟み込むことができるようになされている。なお、取り付け部４Ｄとヒンジ部４Ｅを合わせて、クリップ部という。
【００２５】
また、情報収集機能付き名札４には、名前を表示するための名前表示部（図示しない）が設けられている。名前表示部は、情報収集機能付き名札４を使用するディーラ等の従業者の名前を表示する部分であり、名前が印刷されたシールを貼っても、ペン等で直接記入してもよい。また、情報収集機能付き名札４が小型の液晶ディスプレイ等を備えて、名前表示部は、電子的に名前を表示するものであってもよい。
【００２６】
情報収集機能付き名札４は、見かけ上は普通の名札であるが、画像、音声、センサ情報などを収集することが可能な名札型のコンピュータである。このような筐体によって、第３者には気づかれることなく、画像、音声、センサ情報などを収集することが可能となる。
【００２７】
情報収集機能付き名札４−１〜４−３は、カメラ部４Ａで収集した画像、マイク部４Ｂで収集した音声、およびセンサ部４Ｃで収集したセンサ情報を、リアルタイムにネットワーク５を介してサーバ２に送信する。
【００２８】
なお、収集情報の送信方法としては、リアルタイムにネットワーク５を介してサーバ２に送信する以外にも、以下の２つの方法等がある。
１．情報収集機能付き名札４に記憶された情報を、所定時間毎に、ネットワーク５を介してサーバ２に送信する。
２．情報収集機能付き名札４をサーバ２に直接接続し、情報収集機能付き名札４に記憶された情報をサーバ２に転送する。
【００２９】
ネットワーク５は、LAN（Local Area Network）やインターネット等のネットワークであり、サーバ２との接続は、有線、無線は特に問わないが、情報収集機能付き名札４−１〜４−３との接続は、無線である。
【００３０】
図１に示すように、管理運用エリアは、カジノ遊技の運営管理を行う場所であって、サーバ２およびＩＣリーダ３が設置されている。カジノ店舗エリアは、従業員がカジノ遊技の接客を行う場所であって、情報収集機能付き名札４を装着した従業員がエリア内に入場し、不正行為を監視する。
【００３１】
（サーバの構成）
図３は、サーバ２のハードウェアの構成例を示す図である。なお、図２のハードウェア構成は一例であり、用途、目的に応じて様々な構成を採ることが可能である。
【００３２】
サーバ２を実現するコンピュータは、制御部１１、記憶部１２、メディア入出力部１３、通信制御部１４、入力部１５、表示部１６、周辺機器Ｉ／Ｆ（インターフェース）部１７等が、バス１８を介して接続される。
【００３３】
制御部１１は、CPU、ROM、RAM等で構成される。CPUは、記憶部１２、ROM、記録媒体等に格納されるプログラムをRAM上のワークメモリ領域に呼び出して実行し、バス１８を介して接続された各部を駆動制御し、サーバ２が行う後述する処理を実現する。ROMは、不揮発性メモリであり、コンピュータのブートプログラムやBIOS（Basic Input/Output System）等のプログラム、データ等を恒久的に保持している。RAMは、揮発性メモリであり、記憶部１２、ROM、記録媒体等からロードしたプログラム、データ等を一時的に保持するとともに、制御部１１が各種処理を行う為に使用するワークエリアを備える。
【００３４】
記憶部１２は、HDDであり、制御部１１が実行するプログラム、プログラム実行に必要なデータ、ＯＳ（オペレーティングシステム）等を格納する。プログラムに関しては、ＯＳに相当する制御プログラムや、後述する処理をコンピュータに実行させるためのアプリケーションプログラムが格納されている。これらの各プログラムコードは、制御部１１により必要に応じて読み出されてRAMに移され、CPUに読み出されて各種の手段として実行される。
【００３５】
メディア入出力部１３（ドライブ装置）は、データの入出力を行い、例えば、ＣＤドライブ（−ＲＯＭ、−Ｒ、−ＲＷ等）、DVDドライブ（−ROM、−Ｒ、−ＲＷ等）等のメディア入出力装置を有する。通信制御部１４は、通信制御装置、通信ポート等を有し、コンピュータとネットワーク５間の通信を媒介する通信インターフェースであり、ネットワーク５を介して、他のコンピュータ間との通信制御を行う。
【００３６】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。
【００３７】
表示部１６は、液晶パネル等のディスプレイ装置、ディスプレイ装置と連携してコンピュータのビデオ機能を実現するための論理回路等（ビデオアダプタ等）を有する。
【００３８】
周辺機器Ｉ／Ｆ（インターフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、USB（Universal Serial Bus）やIEEE（The Institute of Electrical and Electronics
Engineers）１３９４やＲＳ−２３２Ｃ等で構成されており、通常複数の周辺機器Ｉ／Ｆを有する。周辺機器との接続形態は有線、無線を問わない。バス１８は、各装置間の制御信号、データ信号等の授受を媒介する経路である。
【００３９】
図４は、サーバ２の機能構成例を示すブロック図である。図４に示す機能部のうちの少なくとも一部は、図３の制御部１１により所定のプログラムが実行されることによって実現される。
【００４０】
従業員情報データベース２１は、従業員（ディーラ）に関する情報を記憶する。収集情報データデータベース２２は、情報収集機能付き名札４から取得した収集情報を記憶する。
【００４１】
従業員認証部２３は、入力部１５を介して入力された従業員情報（例えば、従業員名またはユーザＩＤ、パスワード等）に基づいて、従業員情報データベース２１を参照し、従業員を認証する。従業員認証部２３は、従業員名の入力時にＩＣリーダ３を介して取得した名札ＩＤと、認証した従業員に関する情報を紐付けて、従業員情報データベース２１に記憶させる。
【００４２】
情報収集部２４は、情報収集機能付き名札４から名札ＩＤおよび情報（例えば、画像、音声、センサ情報等）を収集し、収集情報データベース２２に記憶させる。
【００４３】
異常検出部２５は、収集情報データベース２２に記憶された収集情報から、異常値があるか否かを判定し、異常値があると判定した場合には、その収集情報を検出し、表示部１６に警告表示させる。
【００４４】
図５は、従業員情報データベース２１の例を示す図である。
【００４５】
図５に示すように、従業員情報データベース２１は、少なくとも、従業員ＩＤ２１Ａおよび従業員名２１Ｂを紐付けて記憶する。
【００４６】
従業員ＩＤ２１Ａは、従業員（ディーラ）を一意に識別するための情報である。従業員名２１Ｂは、従業員の名前を示す。
【００４７】
図６は、収集情報データベース２２の例を示す図である。
【００４８】
図６に示すように、収集情報データベース２２には、少なくとも、名札ＩＤ２２Ａ、従業員ＩＤ２２Ｂ、センサ情報２２Ｃ、画像情報２２Ｄ、音声情報２２Ｅ、および収集時刻２１Ｅを、名札ＩＤ（情報収集機能付き名札４）毎に記憶する。
【００４９】
名札ＩＤ２２Ａは、情報収集機能付き名札４を一意に識別するための情報である。従業員ＩＤ２２Ｂは、従業員を一意に識別するための情報であり、従業員情報データベース２１の従業員ＩＤ２１Ａに紐付けられている。センサ情報２２Ｃは、加速度センサ情報、照度センサ情報、温度センサ情報、位置情報等を示す。画像情報２２Ｄは、静止画像および動画像に関する情報を示す。音声情報２２Ｄは、音声に関する情報を示す。収集時刻２２Ｆは、センサ情報２２Ｃ〜音声情報２２Ｅを収集した時刻を示す。
【００５０】
（携帯端末の構成）
【００５１】
図７は、情報収集機能付き名札４のハードウェアの構成例を示す図である。尚、図７のハードウェア構成は一例であり、用途、目的に応じて様々な構成を採ることが可能である。
【００５２】
情報収集機能付き名札４は、制御部３１、記憶部３２、通信制御部３３、カメラ部４Ａ、マイク部４Ｂ、センサ部４Ｃなどが、バス３４を介して接続される。
【００５３】
制御部３１は、CPU、ROM、RAM等で構成される。制御部３１は、記憶部３２に記憶されたプログラムに基づいて、所定の処理を行い、情報収集機能、および通信機能などを実現する。
【００５４】
記憶部３２は、制御部３１が実行するプログラム、プログラム実行に必要なデータ、ＯＳ等を格納するとともに、カメラ部４Ａ、マイク部４Ｂ、センサ部４Ｃからのデータ等を記憶する。
【００５５】
通信制御部３３は、図示しないアンテナを用いて、情報収集機能付き名札４とネットワーク５間の無線通信を行う。
カメラ４Ａ、マイク部４Ｂ、及び、センサ部４Ｃは、前述したものである。
なお、この他、情報収集機能付き名札４は、使用者（ディーラ等の従業者）の名前を表示するための表示部（液晶ディスプレイ）を備えてもよい。
【００５６】
（情報収集処理）
図８は、情報収集システム１が実行する、情報収集処理を説明するフローチャートである。
【００５７】
従業員（ディーラ）は、情報収集機能付き名札４を装着してカジノ店舗エリア内に入場する前に、情報収集機能付き名札４を、管理運用エリアに設置されたＩＣリーダ３にかざす。これにより、ステップＳ１において、サーバ２の制御部１１は、ＩＣリーダ３を介して、情報収集機能付き名札４の名札ＩＤを読み取る。
【００５８】
次に、従業員は、サーバ２の入力部１５を用いて従業員情報（例えば、従業員名またはユーザＩＤ、パスワード等）を入力する。これにより、ステップＳ２において、サーバ２の制御部１１は、入力された従業員情報を取得する。
【００５９】
ステップＳ３において、サーバ２の従業員認証部２３は、従業員情報データベース２１を参照し、ステップＳ２の処理で入力された従業員情報に基づいて、従業員を認証する。認証後、従業員は、情報収集機能付き名札４を装着してカジノ店舗エリア内に入場し、接客業務を行う。
【００６０】
ステップＳ４において、サーバ２の従業員認証部２３は、ステップＳ１の処理で取得した名札ＩＤと、ステップＳ３の処理で認証した従業員情報を紐付けて、従業員情報データベース２１に記憶させる。
【００６１】
ステップＳ５において、情報収集機能付き名札４の制御部３１は、カメラ部４Ａで撮像された画像情報、マイク部４Ｂで検出された音声情報、センサ部４Ｃで検出されたセンサ情報を取得する。
【００６２】
ステップＳ６において、情報収集機能付き名札４の制御部３１は、名札ＩＤとともに、ステップＳ５の処理で取得された画像情報、音声情報、センサ情報を、通信制御部３３およびネットワーク５を介してサーバ２に送信する。
【００６３】
ステップＳ７において、サーバ２の情報収集部２４は、ネットワーク５を介して情報収集機能付き名札４から送信されてきた、名札ＩＤ、画像情報、音声情報、およびセンサ情報を収集（受信）する。
【００６４】
ステップＳ８において、情報収集部２４は、ステップＳ７の処理で収集した名札ＩＤ、画像情報、音声情報、およびセンサ情報を収集情報データベース２２に記憶させる。
【００６５】
ステップＳ９において、サーバ２の制御部１１は、ＩＣリーダ３を介して、ステップＳ１の処理で読み取ったものと同じ情報収集機能付き名札４の名札ＩＤを読み取ったか否かを判定し、まだ名札ＩＤを読み取っていないと判定した場合、ステップＳ７に戻り、情報収集処理および収集情報データベース２２への記憶処理を繰り返し実行する。
【００６６】
従業員は、カジノ店舗エリア内での接客業務が終了すると、再び、情報収集機能付き名札４を管理運用エリアに設置されたＩＣリーダ３にかざす。これにより、ステップＳ９において、サーバ２の制御部１１は、ＩＣリーダ３を介して、ステップＳ１の処理で読み取ったものと同じ情報収集機能付き名札４の名札ＩＤを読み取ったと判定し、処理を終了する。
【００６７】
以上のように、サーバ２は、情報取集機能付き名札４で検出された、画像情報、音声情報、センサ情報を、ネットワーク５を介して収集することが可能となる。
【００６８】
（異常検出処理）
図９は、収集したセンサ情報から異常値を検出する処理を説明するフローチャートである。
【００６９】
ステップＳ２１において、サーバ２の異常検出部２５は、収集情報データベース２２から、センサ情報を取得する。
ステップＳ２２において、サーバ２の異常検出部２５は、ステップＳ２１の処理で取得したセンサ情報のうち、予め設定した閾値を超えるセンサ値があるか否かを判定し、閾値を超えるセンサ値があると判定した場合、ステップＳ２３に進む。
【００７０】
ステップＳ２３において、サーバ２の異常検出部２５は、表示部１６に、例えば、「異常が検出されました」といったメッセージ、および、異常が検出された時刻等を、警告表示する。
【００７１】
ステップＳ２２において、サーバ２の異常検出部２５は、ステップＳ２１の処理で取得したセンサ情報のうち、閾値を超えるセンサ値はないと判定した場合、処理を終了する。
【００７２】
以上のように、情報収集機能付き名札４から取得したセンサ情報に基づいて、異常（不正行為）を簡単に検出することができる。なお、図９に示す異常検出処理は、定期的に行うようにすることが望ましい。
【００７３】
また、異常が検出された場合、カジノ遊技管理者等は、異常が検出された時刻の画像を目視確認したり、あるいは、音声を聴取したりして、不正行為が行われたか否かの信憑性を合理的、科学的に判断することも可能となる。
【００７４】
［本発明の実施の形態における効果］
以上のように、画像、音声、センサ情報などを収集する機能を名札に実装することにより、第３者には気づかれることなく、画像、音声、センサ情報などを収集し、不正行為の検出に役立てることが可能となる。
【００７５】
なお、本発明の実施形態に係る情報収集機能付き名札１は、カジノ遊技場においてのみ適用可能なものではなく、例えばパチンコ店や病院等、従業員と顧客との間に何らかのトラブルが発生する可能性があり、従業員及びその周辺環境において情報収集の必要性がある状況において、従業員用の名札として適用可能である。
【００７６】
以上、添付図面を参照しながら、本発明に係る情報収集機能付き名札の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７７】
１………情報収集システム
２………サーバ
３………ＩＣリーダ
４−１〜１−３………情報収集機能付き名札
４Ａ………カメラ部
４Ｂ………マイク部
４Ｃ………センサ部
５………ネットワーク
１１………制御部
１２………記憶部
１４………通信制御部
１５………入力部
１６………表示部
２１………従業員情報データベース
２２………収集情報データベース
２３………従業員認証部
２４………情報収集部
２５………異常検出部
３１………制御部
３２………記憶部
３３………通信制御部
【図１】
2015084141.tif 000003
【図２】
2015084141.tif 000004
【図３】
2015084141.tif 000005
【図４】
2015084141.tif 000006
【図５】
2015084141.tif 000007
【図６】
2015084141.tif 000008
【図７】
2015084141.tif 000009
【図８】
2015084141.tif 000010
【図９】
2015084141.tif 000011